(57)【要約】【課題】放熱効果が改善されたプラズマディスプレイモジュールを提供する。【解決手段】プラズマディスプレイモジュールは、ガス放電を利用して画像を表示するプラズマディスプレイパネルと、プラズマディスプレイパネルを支持し、少なくとも一つのホールが形成されているシャーシと、シャーシのプラズマディスプレイパネルと反対側にある面に配置されてプラズマディスプレイパネルを駆動する電気信号を発生させる駆動回路部と、シャーシのホールに向けて配置された少なくとも一つの放熱ファンと、を備える。【選択図】図１
2006293369.tif 000002
【特許請求の範囲】
【請求項１】
ガス放電を利用して画像を表示するプラズマディスプレイパネルと、
前記プラズマディスプレイパネルを支持し、少なくとも一つのホールが形成されているシャーシと、
前記シャーシの前記プラズマディスプレイパネルと反対側にある面に配置され、前記プラズマディスプレイパネルを駆動する電気信号を発生させる駆動回路部と、
前記シャーシの前記ホールに臨んで配置された少なくとも１つの放熱ファンと、を備えるプラズマディスプレイモジュール。
【請求項２】
前記ホールは、前記シャーシ上の前記駆動回路部が配置されていない部分に形成されることを特徴とする請求項１に記載のプラズマディスプレイモジュール。
【請求項３】
前記放熱ファンは、前記シャーシと実質的に平行に配置されていることを特徴とする請求項１に記載のプラズマディスプレイモジュール。
【請求項４】
前記放熱ファンは、前記シャーシと前記プラズマディスプレイパネルとの間に形成される一定の空間内の空気を循環させるように配置されていることを特徴とする請求項１に記載のプラズマディスプレイモジュール。
【請求項５】
前記放熱ファンは、前記シャーシから前記プラズマディスプレイパネル側に送風するように配置されていることを特徴とする請求項４に記載のプラズマディスプレイモジュール。
【請求項６】
前記放熱ファンは、前記プラズマディスプレイパネルから前記シャーシ側に送風するように配置されていることを特徴とする請求項４に記載のプラズマディスプレイモジュール。
【請求項７】
前記放熱ファンのうち少なくとも１つは、前記シャーシから前記プラズマディスプレイパネル側に送風するように配置され、少なくとも他の１つは、前記プラズマディスプレイパネルから前記シャーシ側に送風するように配置されていることを特徴とする請求項４に記載のプラズマディスプレイモジュール。
【請求項８】
前記プラズマディスプレイパネルと前記シャーシとの間には、熱伝導性の放熱シートが配置されていることを特徴とする請求項１に記載のプラズマディスプレイモジュール。
【請求項９】
前記放熱シートは、一面は前記プラズマディスプレイパネルと接し、他の面は、前記シャーシ側の前記シャーシと接しない位置に配置されることを特徴とする請求項８に記載のプラズマディスプレイモジュール。
【請求項１０】
前記放熱ファンは、センサーと、前記センサーからデータを受信して前記放熱ファンの回転数を調節する回転数調節器と、を備えることを特徴とする請求項１に記載のプラズマディスプレイモジュール。
【請求項１１】
前記センサーは、温度感知センサーであることを特徴とする請求項１０に記載のプラズマディスプレイモジュール。
【請求項１２】
前記放熱ファンは、放熱フィンを備えることを特徴とする請求項１０に記載のプラズマディスプレイモジュール。
【発明の詳細な説明】
【技術分野】
【０００１】
本発明は、プラズマディスプレイモジュールに関し、より詳細には、放熱効果が改善されたプラズマディスプレイモジュールに関する。
【背景技術】
【０００２】
プラズマディスプレイモジュールは、ガス放電現象を利用して画像を表示する平板ディスプレイモジュールであって、薄型化が可能であり、広視野角を有する大画面を具現できるため近年脚光を浴びている。
【０００３】
このようなプラズマディスプレイモジュールにおいて、二つの薄型平板パネルからなるプラズマディスプレイパネル（ＰＤＰ）内に配置された電極間に印加される直流または交流電圧によって、パネル内に設けられ、放電ガスが充填された放電セル内で放電が発生し、放電ガスから放出される紫外線により放電セル内に塗布された蛍光体を励起させて可視光を発光させることによって画像を表示させる。
【０００４】
ところで、このようなプラズマディスプレイモジュールは、発光手段として、放電セル内に高電圧を印加して放電を起こすことによって発光させる放電メカニズムを採択しているので、プラズマディスプレイモジュールの駆動時、ＰＤＰ内の放電セルでは多くの熱が発生する。
【０００５】
一方、ＰＤＰから発生する熱が適切に除去されなければ、ＰＤＰの温度が上昇するため、ＰＤＰの蛍光体が劣化して画像の質が低下し、このような現象が持続すれば、結果的にプラズマディスプレイモジュールの寿命が短縮される。
【０００６】
従来は、ＰＤＰから発生する熱を外部に放出させるためにＰＤＰとＰＤＰを支持するシャーシとの間に熱伝導性の放熱シートが配置された。すなわち、ＰＤＰから発生する熱は、放熱シートを熱伝導媒体としてシャーシに伝達された後に隣接した空気中に放出された。
【０００７】
しかし、このような従来の受動的な熱伝導方法では、ＰＤＰから発生する熱を外部に効果的に放出することができないという問題点がある。
【発明の開示】
【発明が解決しようとする課題】
【０００８】
本発明は、前記問題点を解決するためになされたものであって、本発明の目的は、シャーシに形成された少なくとも１つのホール上に少なくとも一つ装着された放熱ファンを作動させ、シャーシとＰＤＰとの間に形成された一定の空間内の空気を強制的に循環させる強制対流方式により、ＰＤＰから発生する熱を外部に効果的に放出させうるプラズマディスプレイモジュールを提供することである。
【０００９】
本発明の他の目的は、前記のような強制対流方式を用いてＰＤＰの温度上昇を防止することによって、寿命が著しく延長されたプラズマディスプレイモジュールを提供することである。
【課題を解決するための手段】
【００１０】
前記の目的及び他の目的を達成するために、本発明は、ガス放電を利用して画像を表示するＰＤＰと、前記ＰＤＰを支持し、少なくとも１つのホールが形成されているシャーシと、前記シャーシの前記ＰＤＰと反対側にある面に配置されて前記ＰＤＰを駆動する電気信号を発生させる駆動回路部と、前記シャーシのホールに臨んで配置された少なくとも１つの放熱ファンとを備えるプラズマディスプレイモジュールを提供する。
【００１１】
ここで、前記ホールは、前記シャーシ上の前記駆動回路部が配置されていない部分に形成されることが望ましい。
【００１２】
ここで、前記放熱ファンは、前記シャーシと実質的に平行に配置されることが望ましい。
【００１３】
また、前記放熱ファンは、前記シャーシと前記ＰＤＰとの間に形成される一定の空間内の空気を循環させるように配置されることが望ましい。
【００１４】
また、前記放熱ファンは、前記シャーシから前記ＰＤＰ側に送風するように配置されても、前記ＰＤＰから前記シャーシ側に送風するように配置されてもよい。
【００１５】
また、前記放熱ファンのうち少なくとも一つは、前記シャーシから前記ＰＤＰ側に送風するように配置され、少なくとも他の一つは、前記ＰＤＰから前記シャーシ側に送風するように配置されることが望ましい。
【００１６】
また、前記ＰＤＰと前記シャーシとの間には熱伝導性の放熱シートがさらに配置されることが望ましい。
【００１７】
また、前記放熱シートは、その一面は前記ＰＤＰと接し、他の面は前記シャーシ側の前記シャーシと接しない位置に配置されることが望ましいが、これに限定されるものではない。
【００１８】
ここで、前記放熱ファンは、センサーと、前記センサーからデータを受信して前記放熱ファンの回転数を調節する回転数調節器とを含むことが望ましい。
【００１９】
また、前記センサーは、温度感知センサーであることが望ましい。
【００２０】
また、前記放熱ファンは、放熱フィンを備えていることが望ましい。
【発明の効果】
【００２１】
本発明によれば、シャーシに形成された少なくとも１つのホール上に、シャーシと実質的に平行に装着された少なくとも１つの放熱ファンを作動させる強制対流方式により、ＰＤＰから発生する熱を外部に効果的に放出させうるプラズマディスプレイモジュールを提供することができる。また、周辺環境に応じて放熱ファンの回転数を適切に調節することによって、放熱ファンの作動による電力損失及び騷音の発生を最小化できる。
【００２２】
また、本発明によれば、強制対流方式によりＰＤＰの温度上昇を防止することで、寿命が画期的に延長されたプラズマディスプレイモジュールを提供することができる。
【発明を実施するための最良の形態】
【００２３】
以下、添付された図面を参照して本発明の望ましい実施形態を詳細に説明する。
【００２４】
図１は、本発明の望ましい実施形態によるプラズマディスプレイモジュールを示した斜視図であり、図２は、図１のＩＩ−ＩＩ線に沿った断面図であり、図３は、図１のシャーシ部上に放熱ファンが配置された構造を示すとともに一部を拡大して示す平面図であり、図４は、図１の放熱ファンの構成を示したブロック図である。
【００２５】
図面を参照すれば、本発明の望ましい実施形態によるプラズマディスプレイモジュール１０には、画像が表示されるＰＤＰ１００が備えられている。
【００２６】
このようなＰＤＰ１００としては、多様な種類のＰＤＰのうち何れか一つが採用されうるが、その一例として、交流型の３電極面放電ＰＤＰが採用されうる。この場合、ＰＤＰ１００は、第１パネル１１０及び第２パネル１２０からなり、第１パネル１１０は、図示されていないが、第１基板上に設けられるストライプ状の共通電極及び走査電極を含んでなる複数の維持電極対と、維持電極対を埋め込む第１誘電体層と、第１誘電体層の表面にコーティングされる保護層とを含んでいる。
【００２７】
そして、第２パネル１２０は、第１パネル１１０と対向するものであって、図示されていないが、第２基板上に設けられ維持電極対と交差する複数のアドレス電極と、アドレス電極を埋め込む第２誘電体層と、第２誘電体層上に形成され、放電状態を放電セル内に制限してクロストークを防止する隔壁と、隔壁により区画された放電空間の内側に塗布される赤色、緑色、青色の蛍光体層とを含んでいる。
【００２８】
ここで、放電セルは、維持電極対とアドレス電極とが互いに交差する部分の中間領域に対応し、放電セル内には放電ガスが充填される。
【００２９】
前記のような構成を有するＰＤＰの一面にはシャーシ３０が配置されているが、シャーシ３０は、ＰＤＰ１００が熱により変形するか、または外部衝撃によって破損することを防止する機能を果たす。
【００３０】
一方、ＰＤＰ１００とシャーシ３０とは、両面テープなどの接着部材１３５によって付着しうる。
【００３１】
また、シャーシ３０は、前記のようにＰＤＰ１００を支持してＰＤＰ１００の変形や破損を防止しなければならないので、十分な剛性を有する必要がある。このように剛性を補強するために、プラズマディスプレイモジュール１０は、シャーシ３０のＰＤＰ１００と反対側にある面に配置されてシャーシ３０の剛性を補強する補強部材９０を備えうる。
【００３２】
また、シャーシ３０のＰＤＰ１００と反対側にある面には、駆動回路部１４０が配置されており、駆動回路部１４０はＰＤＰ１００を駆動する電気信号を発生させる。そのため、駆動回路部１４０には、画像具現のための電圧信号を印加し、電源を供給するための各種の電子部品（図示せず）が備えられている。
【００３３】
また、駆動回路部１４０は、信号伝達手段３１，３２によりＰＤＰ１００と電気的に連結されて信号を伝達するが、信号伝達手段３１，３２としては、ＦＰＣ（Ｆｌｅｘｉｂｌｅ  Ｐｒｉｎｔｅｄ  Ｃａｂｌｅ）、ＴＣＰ（Ｔａｐｅ  Ｃａｒｒｉｅｒ  Ｐａｃｋａｇｅ）及びＣＯＦ（Ｃｈｉｐ  Ｏｎ  Ｆｉｌｍ）のうち少なくとも１つが選択されて採用されうる。
【００３４】
本実施形態によるプラズマディスプレイモジュール１０において、シャーシ３０には少なくとも１つのホール３０ａが形成され、このようなホール３０ａのＰＤＰ１００と反対側の上部には、少なくとも１つの放熱ファン４０が配置されることが望ましい。
【００３５】
ここで、このようなホール３０ａは、シャーシ３０上の駆動回路部１４０が配置されない領域に形成されることが望ましい。
【００３６】
また、このようなホール３０ａは、シャーシ３０の剛性、及び駆動回路部１４０の配置構造に支障を来さない範囲内で可能な限り大きく、多数形成されることが望ましい。
【００３７】
また、ホール３０ａは、図面中では円形に示されているが、これに限定されるものではなく、その他に四角形、五角形または楕円形など多様な形態に形成されうる。
【００３８】
ここで、放熱ファン４０は、基本的にファン４０ａ及びシリンダブロック（図示せず）を備え、シャーシ３０と実質的に平行に配置されることが望ましいが、本発明がこれに限定されるものはなく、これと同じ効果が得られるものであれば、その他どの方向に配置されてもよい。ここで、放熱ファン４０がシャーシ３０と実質的に平行に配置されるとは、放熱ファン４０がシャーシ３０の主たる平面に対して完全に平行に配置されることのみを意味するのではなく、このようなシャーシ３０の主たる平面に対してある程度の傾きを持っていても全体的に見て平行に等しいと認められるように配置されることを含む概念である。
【００３９】
これにより、放熱ファン４０は、シャーシ３０とＰＤＰ１００との間に形成される一定の空間内の空気を容易に循環させることができる。ここで、シャーシ３０とＰＤＰ１００との間に形成される一定の空間とは、後述する放熱シート１３０が配置されない場合には、シャーシ３０とＰＤＰ１００との間に形成される空間であり、放熱シート１３０が配置される場合にはシャーシ３０と放熱シート１３０との間に形成される空間をいう。
【００４０】
ここで、放熱ファン４０は、シャーシ３０からＰＤＰ１００方向に送風するように配置されるか、またはＰＤＰ１００からシャーシ３０方向に送風するように配置されることができる。これにより、放熱ファン４０は、シャーシ３０とＰＤＰ１００との間に形成される一定の空間内の空気を循環させることができる。
【００４１】
また、放熱ファン４０のうち少なくとも一つは、シャーシ３０の外側からＰＤＰ１００の方向に送風するように配置され、少なくとも他の一つは、ＰＤＰ１００側からシャーシ３０の方向に送風するように配置されることが望ましい。これにより、シャーシ３０に形成されたホール３０ａを通ってシャーシ３０の外側からＰＤＰ１００の方向に流入した空気は、シャーシ３０に形成された他のホール３０ａを通ってさらにＰＤＰ１００側からシャーシ３０の方向に、放熱ファン４０を利用した強制送風方式により活発に流出する。したがって、ＰＤＰ１００から発生した熱は、強制対流により前記のように循環する空気を介してさらに円滑に外部に放出されることができる。
【００４２】
しかし、本発明がこれに限定されるものではなく、この他に放熱ファン４０の全部が、前記両方向のうちのどちらか一方向に送風するように配置されても良い。
【００４３】
また、ＰＤＰ１００とシャーシ３０との間には熱伝導性の放熱シート１３０がさらに配置されることが望ましい。すなわち、これにより、ＰＤＰ１００から発生した熱は、放熱シート１３０を熱伝導媒体としてシャーシ３０に伝えられる。この際、熱は直接または隣接した空気を介してシャーシ３０に伝えられる。
【００４４】
また、放熱シート１３０は、その一面はＰＤＰ１００と接し、他の面はシャーシ３０側のシャーシ３０と接触しない位置に配置されることが望ましい。これにより、放熱シート１３０とシャーシ３０との間に一定の空間が形成され、前記空間内に、放熱ファン４０を利用した強制送風方式による強制対流が発生させられる。これにより、さらに効果的な放熱が行われる。
【００４５】
しかし、本発明がこれに限定されるものはなく、放熱効果は低下するものの、放熱シート１３０の一面はＰＤＰ１００と接し、他の面はその全部または一部がシャーシ３０と接するように配置されることもある。
【００４６】
また、放熱ファン４０は、ファン４０ａ及びシリンダブロック（図示せず）の他にセンサー４０ｄ、回転数調節器４０ｃ、及び放熱フィン４０ｂをさらに含むことが望ましい。これにより、プラズマディスプレイモジュール１０の周辺温度の変化に応じてＰＤＰ１００の温度が変化する場合に、ファン４０ａの回転数を適切に調節することによって、ファン４０ａの作動による不要な騷音及び電力を低減させることができる。
【００４７】
ここで、センサー４０ｄは、放熱シート１３０が配置されている場合、放熱シート１３０及び／またはシャーシ３０を貫通してＰＤＰ１００の適切な部分と接するように配置されることが望ましいが、これに限定されるものではなく、プラズマディスプレイモジュール１０の他の適切な位置に配置されても良い。
【００４８】
また、センサー４０ｄは、温度感知センサーであることが望ましいが、これに限定されるものではなく、その他、騷音感知センサーなど、騒音及び電力を低減させる目的を達成できるものであれば、いかなるセンサーであっても用いられることができる。
【００４９】
また、回転数調節器４０ｃは、センサー４０ｄからデータを受信して可変抵抗などによってファン４０ａの回転数を周辺環境によって適切に調節する役割を果たし、放熱ファン４内の適当な位置に配置されることが望ましい。
【００５０】
また、放熱ファン４０の後面に位置するヘッド部（図示せず）には放熱フィン４０ｂが配置され、放熱フィン４０ｂの形状、位置、設置角度などは、ファン４０ａの放熱を助けるため、前方から流入する空気の流れに対して最大限の放熱面積が確保されるように決定されなければならない。
【００５１】
一方、以下に放熱ファン４０の作動例を具体的に説明する。
【００５２】
冬季中であるため周辺温度が十分に低いか、クーラなどによって十分に低くされているため、敢えてファン４０ａを作動させなくても良い場合には、これを作動させずに、外部温度を利用した自然対流によって放熱させる。また、他の例として、周辺環境を考慮し、周囲が静かな場合には、ファン４０ａを低騒音の低速回転モードで作動させ、周辺が騒々しい場合には、ファン４０ａの騒音が周囲の騷音を超えない程度の高速回転で作動させることで、強制冷却方式による騷音の不便さを解消し、併せて放熱ファン４０の作動による不要な電力損失を最小化することができる。
【００５３】
本発明は、図面に示された実施形態を参考にして説明されたが、これは、例示的なものにすぎず、当業者ならば、これから多様な変形及び均等な他の実施形態が可能であるという点を理解できるであろう。したがって、本発明の真の技術的保護範囲は特許請求の範囲の技術的思想によって決められなければならない。
【産業上の利用可能性】
【００５４】
本発明は、プラズマディスプレイモジュールに関連したものであって、放熱効果が改善されたプラズマディスプレイモジュールに適用されうる。
【図面の簡単な説明】
【００５５】
【図１】本発明の望ましい実施形態によるプラズマディスプレイモジュールを示した斜視図である。
【図２】図１のＩＩ−ＩＩ線の部分切開断面図である。
【図３】図１のシャーシ部上に放熱ファンが配置された構造を示すとともに一部を拡大して示す部分拡大平面図である。
【図４】図１の放熱ファンの構成を示すブロック図である。
【符号の説明】
【００５６】
１０    プラズマディスプレイモジュール、
３０    シャーシ、
３０    ホール、
３１、３２    信号伝達手段、
４０    放熱ファン、
４０ａ    ファン、
４０ｂ    放熱フィン、
４０ｃ    回転数調節器、
４０ｄ    センサー、
９０    補強部材、
１００    プラズマディスプレイパネル、
１１０    第１パネル、
１２０    第２パネル、
１３０    放熱シート、
１３５    接着部材、
１４０    駆動回路部。
【図１】
2006293369.tif 000003
【図２】
2006293369.tif 000004
【図３】
2006293369.tif 000005
【図４】
2006293369.tif 000006